(57)【要約】【課題】複数枚の後ブレードで吹出口を閉じた状態で後ブレードの隙間から空気が漏れるのを防止する。【解決手段】後ブレード９，９，…は、操作ノブ１１が左側に移動すると、一対のアーム１３，１３間に進入したガイド柱９ｅを介して吹出口３ａを開放するように同期して回動する一方、操作ノブ１１が右側に移動すると、一対のアーム１３，１３間を後退するガイド柱９ｅを介して吹出口３ａを閉鎖するように同期して回動し、ガイド柱９ｅが後退過程で円弧部１３ａの左側突出部１３ｄを乗り越えて係合部１３ｃに係合することにより、その開閉動作が規制される。したがって、吹出口３ａの閉状態が保持され、空気が漏れるのを防止することができる。【選択図】図２
2013248914.tif 000002
【特許請求の範囲】
【請求項１】
前端部に空気の吹出口(3a)を有するレジスタケース(3)と、
該レジスタケース(3)内部に上記吹出口(3a)の前後に間隔をあけて複数枚ずつ平行に配設され、互いに交差する回動軸(X1,X2)周りに回動可能な前ブレード(7,7,…)及び後ブレード(9,9,…)と、
上記複数枚の前ブレード(7,7,…)及び上記複数枚の後ブレード(9,9,…)を各々同期して回動させ、空気の吹出方向を変えると共に上記吹出口(3a)を開閉する回動機構とを備えるレジスタであって、
上記複数枚の後ブレード(9,9,…)の１枚には、その側面から互いに後ブレード回動軸(X2)方向に対向するように張り出す一対の張出部(9d,9d)と、該張出部(9d,9d)間を接続するガイド柱(9e)とが設けられ、
上記回動機構は、上記複数枚の前ブレード(7,7,…)の１枚に前ブレード回動軸(X1)方向にスライド移動可能に取り付けられた操作ノブ(11)を備え、該操作ノブ(11)は、前ブレード回動軸(X1)方向に離間して各々後方に突出する一対のアーム(13,13)を有し、
上記一対のアーム(13,13)の一方の突出端には、上記操作ノブ(11)の回動軌跡に沿う円弧部(13a)が設けられ、該円弧部(13a)には、上記ガイド柱(9e)と係合する係合部(13c)と、該係合部(13c)の他方のアーム(13)側で当該係合部(13c)底面よりも後方に突出する突出部(13d)とが設けられ、
上記複数枚の後ブレード(9,9,…)は、上記操作ノブ(11)の前ブレード回動軸(X1)方向一方側への移動により上記一対のアーム(13,13)間に進入した上記ガイド柱(9e)を介して上記吹出口(3a)を開放するように同期して回動する一方、上記操作ノブ(11)の前ブレード回動軸(X1)方向他方側への移動により上記一対のアーム(13,13)間を後退する上記ガイド柱(9e)を介して上記吹出口(3a)を閉鎖するように同期して回動し、上記ガイド柱(9e)が後退過程で上記円弧部(13a)の上記突出部(13d)を乗り越えて上記係合部(13c)に係合することにより、その開閉動作が規制されることを特徴とするレジスタ。
【請求項２】
請求項１に記載のレジスタにおいて、
上記一対の張出部(9d,9d)は、上記ガイド柱(9e)が上記円弧部(13a)の上記突出部(13d)を乗り越える時に後方に撓むことを特徴とするレジスタ。
【請求項３】
請求項１又は２に記載のレジスタにおいて、
前ブレード回動軸(X1)方向一方側の上記アーム(13)は、上記ガイド柱(9e)が上記円弧部(13a)の上記突出部(13d)を乗り越える時に前方に撓むことを特徴とするレジスタ。
【請求項４】
請求項１乃至３のいずれか１項に記載のレジスタにおいて、
上記円弧部(13a)の上記突出部(13d)には、該突出部(13d)の上記他方側のアーム(13)側端から該突出部(13d)先端に行くに従って後側に傾斜する傾斜面(13i)が形成されていることを特徴とするレジスタ。
【請求項５】
請求項１乃至４のいずれか１項に記載のレジスタにおいて、
上記係合部(13c)には、上記突出部(13d)先端から反突出部先端側に行くに従って前側に傾斜する傾斜面(13h)が形成され、
上記ガイド柱(9e)は、上記係合部(13c)に係合した状態で、前ブレード回動軸(X1)方向一方側の上記アーム(13)によって隣の後ブレード(9)に押し付けられることを特徴とするレジスタ。
【発明の詳細な説明】
【技術分野】
【０００１】
本発明は、例えば自動車の車室内の換気や空調の空気吹出部に使用されるレジスタに関する。
【背景技術】
【０００２】
従来より、自動車のインストルメントパネル等に配設され、例えば空調装置で調節された調和空気を車室内に吹き出す空気吹出部に使用されるレジスタがある。
【０００３】
特許文献１には、上下方向に延びて左右方向に回動する１枚の前ブレードと、その後側で左右方向に延びて上下方向に同期して回動する複数枚の後ブレードとを有し、上記前ブレードに操作ノブが上下方向にスライド移動可能に取り付けられ、この操作ノブに上下方向に離間して各々後方に延びる一対のアームが一体に設けられ、また、後ブレードの１枚に左右方向に延びるガイド柱が設けられたレジスタが開示されている。上記ガイド柱は上記一対のアーム間に配設されており、操作ノブがスライド移動し、ガイド柱が一方のアームによって上下方向に押され、複数枚の後ブレードが同期して回動することにより、空気の吹出方向を変えると共に吹出口を開閉する。
【先行技術文献】
【特許文献】
【０００４】
【特許文献１】特開２００２−１４４８６１号公報
【発明の概要】
【発明が解決しようとする課題】
【０００５】
しかしながら、特許文献１のレジスタでは、複数枚の後ブレードが吹出口を閉じた状態でガイド柱の移動を規制するものがないため、ガイド柱はアーム間をある程度移動することができる。従って、後ブレードが僅かに回動してその隙間から空気が漏れる虞がある。
【０００６】
本発明は、かかる点に鑑みてなされたものであり、その目的とするところは、複数枚の後ブレードが吹出口を閉じた状態で該後ブレードの隙間から空気が漏れるのを防止することにある。
【課題を解決するための手段】
【０００７】
上記の目的を達成するために、本発明は、アームの形状を工夫したものである。
【０００８】
具体的には、本発明は、前端部に空気の吹出口を有するレジスタケースと、該レジスタケース内部に上記吹出口の前後に間隔をあけて複数枚ずつ平行に配設され、互いに交差する回動軸周りに回動可能な前ブレード及び後ブレードと、上記複数枚の前ブレード及び上記複数枚の後ブレードを各々同期して回動させ、空気の吹出方向を変えると共に上記吹出口を開閉する回動機構とを備えるレジスタを対象とし、次のような解決手段を講じた。
【０００９】
第１の発明は、上記複数枚の後ブレードの１枚には、その側面から互いに後ブレード回動軸方向に対向するように張り出す一対の張出部と、該張出部間を接続するガイド柱とが設けられ、上記回動機構は、上記複数枚の前ブレードの１枚に前ブレード回動軸方向にスライド移動可能に取り付けられた操作ノブを備え、該操作ノブは、前ブレード回動軸方向に離間して各々後方に突出する一対のアームを有し、上記一対のアームの一方の突出端には、上記操作ノブの回動軌跡に沿う円弧部が設けられ、該円弧部には、上記ガイド柱と係合する係合部と、該係合部の他方のアーム側で当該係合部底面よりも後方に突出する突出部とが設けられ、上記複数枚の後ブレードは、上記操作ノブの前ブレード回動軸方向一方側への移動により上記一対のアーム間に進入した上記ガイド柱を介して上記吹出口を開放するように同期して回動する一方、上記操作ノブの前ブレード回動軸方向他方側への移動により上記一対のアーム間を後退する上記ガイド柱を介して上記吹出口を閉鎖するように同期して回動し、上記ガイド柱が後退過程で上記円弧部の上記突出部を乗り越えて上記係合部に係合することにより、その開閉動作が規制されることを特徴とするものである。
【００１０】
第２の発明は、上記第１の発明において、上記一対の張出部は、上記ガイド柱が上記円弧部の上記突出部を乗り越える時に後方に撓むことを特徴とするものである。
【００１１】
第３の発明は、上記第１又は２の発明において、前ブレード回動軸方向一方側の上記アームは、上記ガイド柱が上記円弧部の上記突出部を乗り越える時に前方に撓むことを特徴とするものである。
【００１２】
第４の発明は、上記第１〜３のいずれか１つの発明において、上記円弧部の上記突出部には、該突出部の上記他方側のアーム側端から該突出部先端に行くに従って後側に傾斜する傾斜面が形成されていることを特徴とするものである。
【００１３】
第５の発明は、上記第１〜４のいずれか１つの発明において、上記係合部には、上記突出部先端から反突出部先端側に行くに従って前側に傾斜する傾斜面が形成され、上記ガイド柱は、上記係合部に係合した状態で、前ブレード回動軸方向一方側の上記アームによって隣の後ブレードに押し付けられることを特徴とするものである。
【発明の効果】
【００１４】
第１の発明によると、吹出口を閉じた状態で、一方のアームによってガイド柱の前方移動が規制されるため、複数枚の後ブレードの回動も規制される。したがって、複数枚の後ブレードによる吹出口閉状態が保持されるため、後ブレードの隙間から空気が漏れるのを防止することができる。また、ガイド柱と係合するアームの突出端に操作ノブの回動軌跡に沿う円弧部が設けられているので、操作ノブがどのように傾いていてもアームはガイド柱から離脱せず、操作ノブの傾きに関係なく吹出口閉状態を保持することができる。
【００１５】
第２の発明によると、ガイド柱が円弧部の突出部を乗り越える時に一対の張出部が後方に撓むので、ガイド柱は突出部をスムーズに乗り越えることができる。したがって、操作性が向上する。さらに、張出部の張り出す長さを調整することでガイド柱がアームによって隣の後ブレードに押し付けられるため、より確実に吹出口閉状態を保持することができる。
【００１６】
第３の発明によると、ガイド柱が円弧部の突出部を乗り越える時に該円弧部が設けられたアームが前方に撓むので、ガイド柱は突出部をスムーズに乗り越えることができる。したがって、操作性が向上する。さらに、円弧部が設けられたアームの長さを調整することでガイド柱を隣の後ブレードに押し付けるため、より確実に吹出口閉状態を保持することができる。
【００１７】
第４の発明によると、円弧部の突出部には、突出部の上記他方側のアーム側端から突出部先端に行くに従って後側に傾斜する傾斜面が形成されているので、ガイド柱は、突出部を乗り越える直前にこの傾斜面に沿って突出部先端に案内されるので、突出部をスムーズに乗り越えることができる。したがって、操作性が一層向上する。
【００１８】
第５の発明によると、係合部には反突出部先端から突出部先端側に行くに従って後側に傾斜する傾斜面が形成されているので、ガイド柱は、この係合部に係合した状態で隣の後ブレードに押し付けられる。したがって、より確実に吹出口閉状態を保持することができる。
【図面の簡単な説明】
【００１９】
【図１】本発明の実施形態に係るレジスタを前方から見た概略斜視図である。
【図２】図１のII-II線矢視相当図である。
【図３】ガイド柱が設けられた後ブレードを前方から見た全体斜視図である。
【図４】操作ノブを示す図であって、（ａ）は後方から見た全体斜視図であり、（ｂ）は一対のアームとその周辺を示す平面図である。
【図５】変形例１に係る操作ノブを示す図であって、（ａ）は後方から見た全体斜視図であり、（ｂ）は一対のアームとその周辺を示す平面図である。
【図６】変形例２に係る操作ノブを示す図であって、（ａ）は後方から見た全体斜視図であり、（ｂ）は一対のアームとその周辺の平面図である。
【図７】変形例３に係る後ブレードを前方から見た全体斜視図である。
【図８】一対のアーム突出端の変形例を示す平面図であって、（ａ）は変形例４を示す図であり、（ｂ）は変形例５を示す図であり、（ｃ）は変形例６を示す図である。
【発明を実施するための形態】
【００２０】
以下、本発明の実施形態を図面に基づいて詳細に説明する。尚、以下の好ましい実施形態の説明は、本質的に例示に過ぎず、本発明、その適用物或いはその用途を制限することを意図するものではない。以下、本発明の実施形態を図面に基づいて詳細に説明する。
【００２１】
図１は、本発明の実施形態に係るレジスタ１を前方から見た概略斜視図である。このレジスタ１は、例えば自動車のインストルメントパネル等に配設され、空調装置で調節された調和空気を車室内に吹き出す空気吹出部に使用されるものであり、調和空気の吹出方向を上下左右に調整すると共に空気吹出部を開閉する機能を有する。
【００２２】
レジスタ１は、後端部が図示しないエアダクトを介して空調装置（不図示）に接続されると共に前端部に空調装置で調節された空気の吹出口３ａを有する略矩形筒状のレジスタケース３を備え、その前端にはレジスタ１の前面を形成する略矩形枠状の化粧枠５が取り付けられている。
【００２３】
レジスタケース３内部の吹出口３ａ付近には、互いに直交する前ブレード７及び後ブレード９が前後に間隔をあけて複数枚（ここでは５枚）ずつ平行に配設されている。図１は、後ブレード９，９，…が上記吹出口３ａを開放した状態を示している。
【００２４】
図２は、図１のII-II線矢視相当図である。図３は、図１の右から３番目の後ブレード９を前方から見た全体斜視図である。尚、図２では、吹出口３ａを開放した状態を仮想線で示すと共に閉じた状態を実線で示し、上記レジスタケース３及び化粧枠５を省略している。
【００２５】
上記各前ブレード７は、横長矩形の樹脂板からなり、左右方向に延びていて、その左右両端部の前部には、図２に示すように、左右方向に突出する円柱状の支軸７ａ，７ａが同軸上に設けられている。これら支軸７ａ，７ａがレジスタケース３の左右側壁に回動可能に支持されて、各前ブレード７は、左右方向に延びる左右方向軸（前ブレード回動軸）Ｘ１周り（即ち上下方向）に回動可能になっている。また、上記各前ブレード７の右端後端部には、突起７ｂが側方に突設されている。そして、５枚の前ブレード７，７，…の各突起７ｂが上下方向に延びるリンク部材（図示せず）で連結されて、５枚全ての前ブレード７，７，…が同期して上下方向に回動するようになっている。
【００２６】
上記各後ブレード９は、横断面菱形状で縦長略矩形の樹脂板であって、隣の後ブレード９と前後に重なって吹出口３ａを閉じるように配設されている。
【００２７】
上記各後ブレード９の上下両端部中央には、上下方向に突出する円柱状の支軸９ａ，９ａが同軸上に設けられている。これら支軸９ａ，９ａがレジスタケース３の上下側壁に回動可能に支持されて、各後ブレード９は、上下方向に延びる上下方向軸（後ブレード回動軸）Ｘ２周り（即ち左右方向）に回動可能になっている。また、上記各後ブレード９の上端後端部には、突起９ｂが上方に突設されている。そして、５枚の後ブレード９，９，…の各突起９ｂが左右方向に延びるリンク部材（図示せず）で連結されて、５枚全ての後ブレード９，９，…が同期して左右方向に回動するようになっている。
【００２８】
上記５枚の後ブレード９，９，…のうち１枚（図１の右から３番目の後ブレード９）には、図３に示すように、前端縁から後方に向かってコ字状に切り欠かれた切欠部９ｃが形成されている。この切欠部９ｃの周縁部上下両端には、上下方向に対向するように各々右方に張り出す一対の三角板状の張出部９ｄ，９ｄが設けられている。そして、両張出部９ｄ，９ｄの右端部同士は円柱状のガイド柱９ｅによって接続されている。
【００２９】
一方、上記５枚の前ブレード７，７，…のうち１枚（図１の上から３番目の前ブレード７）には、操作ノブ１１が左右方向にスライド移動可能に取り付けられ、その後部には上記ガイド柱９ｅと係合する一対のアーム１３，１３が設けられている。図４は、操作ノブ１１を示す図であって、（ａ）は後方から見た全体斜視図であり、（ｂ）は上記一対のアーム１３，１３とその周辺の平面図である。尚、図４（ｂ）において、上記ガイド柱９ｅの移動軌跡を仮想線で示している。上記操作ノブ１１は、略矩形状の樹脂材からなり、左右方向に貫通する貫通孔１１ａが形成され、この貫通孔１１ａに上記上から３番目の前ブレード７が挿通されている。したがって、この操作ノブ１１は、左右方向にスライド移動可動であると共に当該前ブレード７と一体に上下方向に回動する。上記一対のアーム１３，１３のうち一方は操作ノブ１１後部の中央部に設けられ、他方は当該操作ノブ１１後部の右端部に設けられている。この一対のアーム１３，１３間の隙間は上記ガイド柱９ｅの径とほぼ同一である。各アーム１３は、操作ノブ１１が水平な姿勢で、基端から中途部まで水平に延び、該中途部から突出端に向かって下がるように傾斜している。
【００３０】
右側の上記アーム１３突出端には、上記操作ノブ１１の上下方向の回動軌跡に沿う円弧部１３ａが下方に延びていて、その下端と該アーム１３の中途部とを連結梁１３ｂが連結している。したがって、円弧部１３ａの前方には、該円弧部１３ａ、アーム１３、及び連結梁１３ｂで囲まれた空間が形成されている。さらに、円弧部１３ａには上記ガイド柱９ｅと係合する係合部１３ｃが形成されている。この係合部１３ｃは、右側のアーム１３突出端から右側に延びた後に後方に延びる段差状となっていて、この段部に上記ガイド柱９ｅが収容される。この係合部１３ｃの左端部には、その底面よりも後方に突出する左側突出部（突出部）１３ｄが設けられている一方、この係合部１３ｃの右側には、その底面よりも後方に突出し、左側突出部１３ｄよりもさらに後方に突出する右側突出部１３ｅが設けられている。そして、左側突出部１３ｄには、左端から右側に行くに従って後側に傾斜する傾斜面が形成されており、また、上記係合部１３ｃの左側突出部１３ｄ先端と右側突出部１３ｅとの間の部分は前方に突出するように湾曲する湾曲面となっている。
【００３１】
上記操作ノブ１１が上から３番目の前ブレード７に挿通された状態で、ガイド柱９ｅは一対のアーム１３，１３間に配設されている。そうして、５枚の前ブレード７，７，…は、操作ノブ１１の上下方向の回動により該操作ノブ１１が装着された前ブレード７が上下方向に回動し、上記図示しない上下方向に延びるリンク部材を介して同期して上下方向に回動する。一方、５枚の後ブレード９，９，…は、操作ノブ１１の左右方向のスライド移動によりガイド柱９ｅが一対のアーム１３，１３によって左右方向に押され、ガイド柱９ｅが設けられた後ブレード９が左右方向に回動し、上記図示しない左右方向に延びるリンク部材を介して同期して左右方向に回動する。これにより、吹出口３ａからの空気の吹出方向が調節される。
【００３２】
さらに、５枚の後ブレード９，９，…は、操作ノブ１１の右側への移動により一対のアーム１３，１３間に進入したガイド柱９ｅを介して同期して図２の反時計回りに回動して吹出口３ａを開放する一方、操作ノブ１１の左側への移動により一対のアーム１３，１３間を後退するガイド柱９ｅを介して同期して時計回りに回動し、吹出口３ａを閉じる。そして、上記５枚の後ブレード９，９，…は、ガイド柱９ｅが後退過程で円弧部１３ａの左側突出部１３ｄを乗り越えて係合部１３ｃに係合することにより、その開閉動作が規制される。
【００３３】
このように、上記操作ノブ１１及び図示しない２つの上記リンク部材は、前ブレード７，７，…及び後ブレード９，９，…を回動させて空気の吹出方向を変えると共に吹出口３ａを開閉する回動機構を構成している。
【００３４】
次に、５枚の後ブレード９，９，…で吹出口３ａを開閉する際のレジスタ１の動作について図２，４を参照して説明する。尚、以下では操作ノブ１１が水平姿勢を維持している場合について説明する。
【００３５】
先ず、吹出口３ａを閉じる場合について説明する。図２の仮想線で示す吹出口３ａ開状態から操作ノブ１１を左側にスライド移動させると、ガイド柱９ｅが右側のアーム１３によって左側に押され、ガイド柱９ｅが設けられた後ブレード９が時計回りに回動する。この回動時に、ガイド柱９ｅは一対のアーム１３，１３間を一旦前進した後に後退して右側のアーム１３の突出端に至る。このとき、５枚の後ブレード９，９，…は、各々隣の後ブレード９と重なり合っている。さらに操作ノブ１１を左側にスライド移動させると、ガイド柱９ｅが円弧部１３ａの左側突出部１３ｄを乗り越えて係合部１３ｃに係合し、図２の実線で示すように右側のアーム１３によって前方への移動が規制される。したがって、ガイド柱９ｅが設けられた後ブレード９は右側のアーム１３によって回動動作が規制されるため、他の４枚の後ブレード９，９，…もその回動動作が規制される。したがって、吹出口３ａの閉状態が保持される。よって、後ブレード９，９，…の隙間から空気が漏れるのを防止することができる。
【００３６】
次に、吹出口３ａを開く場合について説明する。図２の実線で示す吹出口３ａの閉状態から操作ノブ１１を右側にスライド移動させると、係合部１３ｃの左側突出部１３ｄが右側に移動し、ガイド柱９ｅが該左側突出部１３ｄを乗り越えて一対のアーム１３，１３間に進入する。そして、ガイド柱９ｅが左側のアーム１３によって右側に押され、ガイド柱９ｅが設けられた後ブレード９が反時計回りに回動し、それに同期して他の４枚の後ブレード９，９，…も反時計回りに回動する。このとき、ガイド柱９ｅは一対のアーム１３，１３間を一旦前進した後に後退して右側のアーム１３の突出端寄りに至る。そして、図２の仮想線で示すように、５枚の後ブレード９，９，…が吹出口３ａを開く。
【００３７】
上記動作説明では、上述の通り操作ノブ１１が水平姿勢を維持している場合について説明したが、係合部１３ｃは操作ノブ１１の回動軌跡に沿う円弧部１３ａに設けられているので、操作ノブ１１が上下方向に回動して傾いても、ガイド柱９ｅが係合部１３ｃから離脱するのを防止することができる。したがって、操作ノブ１１の傾きに関係なく吹出口３ａの閉状態を保持することができる。
【００３８】
また、一対のアーム１３，１３は、各々中途部で下方に折れ曲がっているため、操作ノブ１１が上下方向に回動しても各突出端が上方の張出部９ｄと干渉しない。したがって、操作ノブ１１は前下がりに傾くことができる。
【００３９】
さらに、円弧部１３ａ前方には、該円弧部１３ａ、アーム１３、及び連結梁１３ｂで囲まれた空間が形成されているため、円弧部１３ａは前方に撓み易い。したがって、ガイド柱９ｅは、係合部１３ｃの左側突出部１３ｄを乗り越える際に、円弧部１３ａが前方に撓むことにより、スムーズに乗り越えることができる。よって、操作性が向上する。
【００４０】
（変形例１）
上記実施形態では、円弧部１３ａの前方に上記空間が形成されているため、円弧部１３ａが前方に撓み易いが、円弧部１３ａの上下両端において、アーム１３及び連結梁１３ｂが突っ張っているので、操作ノブ１１が傾いてガイド柱９ｅが該上下両端で係合する場合、ガイド柱９ｅが係合部１３ｃの左側突出部１３ｄを乗り越えにくくなる。本変形例は、円弧部１３ａが設けられた右側のアーム１３の形状を工夫し、操作ノブ１１が回動して傾いた状態でもガイド柱９ｅが左側突出部１３ｄを乗り越え易くしたものである。図５は本変形例に係る操作ノブ１１を示す図であって、（ａ）は後方から見た全体斜視図であり、（ｂ）は一対のアーム１３，１３とその周辺の平面図である。尚、右側のアーム１３以外の構成は上記実施形態のものと同一であり、同一箇所には同一符号を付し、その説明を省略する。また図５（ｂ）において、ガイド柱９の移動軌跡を仮想線で示している。
【００４１】
本変形例の右側のアーム１３は、その中途部と突出端との間に下方に湾曲する湾曲部１３ｆが形成され、さらに、連結梁１３ｂに上方に湾曲する湾曲部１３ｆが形成されている。そうして、吹出口３ａを閉じる際にガイド柱９ｅが係合部１３ｃの左側突出部１３ｄを乗り越えるときに上記一対の湾曲部１３ｆ，１３ｆが前方に圧縮され、右側のアーム１３が前方に撓んで円弧部１３ａが前方に移動する。したがって、円弧部１３ａ全体が前側に移動してガイド柱９ｅが上記実施形態の場合よりもスムーズに左側突出部１３ｄを乗り越えることができるため、操作性が一層向上する。
【００４２】
さらに、右側のアーム１３をその基端とガイド柱９ｅとの間の距離よりも若干長く設定することにより、右側のアーム１３は、５枚の後ブレード９，９，…が吹出口３ａを閉じた状態で、ガイド柱９ｅを左隣の後ブレード９に押し付けることができる。したがって、より確実に吹出口３ａの閉状態を保持することができる。
【００４３】
（変形例２）
上記右側のアーム１３を上記変形例１とは異なる形状にすることによっても操作性を向上させることができる。図６は、本変形例に係る操作ノブ１１を示す図であって、（ａ）は後方から見た全体斜視図であり、（ｂ）は一対のアーム１３，１３とその周辺の平面図である。尚、右側のアーム１３以外の構成は上記実施形態のものと同一であり、同一箇所には同一符号を付し、その説明を省略する。また、図６（ｂ）において、ガイド柱９ｅの移動軌跡を仮想線で示している。
【００４４】
本変形例の右側のアーム１３は、その基端から中途部の間に下方に湾曲する湾曲部１３ｇが形成されている。そうして、ガイド柱９ｅが係合部１３ｃの左側突出部１３ｄを乗り越えるときに、上記湾曲部１３ｇが前方に圧縮され、右側の上記アーム１３が前方に撓んで円弧部１３ａが前方に移動する。したがって、ガイド柱９ｅが上記実施形態の場合よりもスムーズに左側突出部１３ｄを乗り越えることができるため、操作性が一層向上する。
【００４５】
さらに、右側のアーム１３をその基端とガイド柱９ｅとの間の距離よりも若干長く設定することにより、右側のアーム１３は、５枚の後ブレード９，９，…が吹出口３ａを閉じた状態で、ガイド柱９ｅを左隣の後ブレード９に押し付けることができる。したがって、より確実に吹出口３ａの閉状態を保持することができる。
【００４６】
（変形例３）
上記変形例１，２では、右側のアーム１３の形状を工夫することで操作性を向上させたが、他の部材の形状を工夫することでも操作性を向上させることができる。図７は、本変形例に係る後ブレード９、詳しくはガイド柱９ｅが設けられた後ブレード９の全体斜視図である。尚、一対の張出部９ｄ，９ｄ以外の構成は上記実施形態のものと同一であり、同一箇所には同一符号を付し、その説明を省略する。
【００４７】
本変形例の後ブレード９に設けられた上下一対の張出部９ｄ，９ｄには、上方及び下方に各々湾曲する湾曲部９ｆが形成されている。そうして、ガイド柱９ｅが係合部１３ｃの左側突出部１３ｄを乗り越えるときには、上記湾曲部９ｆ，９ｆが後方に圧縮されて上記一対の張出部９ｄ，９ｄが後方に撓み、ガイド柱９ｅが後方に移動する。したがって、ガイド柱９ｅが上記実施形態の場合よりもスムーズに左側突出部１３ｄを乗り越えることができるため、操作性が一層向上する。
【００４８】
さらに、一対の張出部９ｄ，９ｄの張り出す長さを調整することで、ガイド柱９ｅが右側のアーム１３によって左隣の後ブレード９に押し付けられるため、より確実に吹出口３ａの閉状態を保持することができる。
【００４９】
（変形例４）
ところで、上記実施形態では、右側のアーム１３がガイド柱９ｅの前方への移動を規制して吹出口３ａを閉じていたが、係合部１３ｃの形状を工夫することにより、より確実に吹出口３ａを閉じることができる。図８（ａ）は、本変形例に係る一対のアーム１３，１３の突出端を示す平面図である。尚、円弧部１３ａ以外の構成は上記実施形態のものと同一であり、同一箇所には同一符号を付し、その説明を省略する。また、図８（ａ）において、ガイド柱９ｅの移動軌跡を仮想線で示している。
【００５０】
本変形例の係合部１３ｃには、左側突出部１３ｄ先端から反左側突出部１３ｄ先端側、すなわち右側に行くに従って前側に傾斜する傾斜面（前側に傾斜する傾斜面）１３ｈが形成されている。つまり、本変形例の係合部１３ｃは、上記実施形態の係合部１３ｃよりも後側に位置している。これにより、ガイド柱９ｅが係合部１３ｃに係合すると、ガイド柱９ｅが傾斜面１３ｈによって後側に押され、左隣の後ブレード９に押し付けられる。よって、上記実施形態の場合よりも確実に吹出口３ａの閉状態を保持することができる。
【００５１】
（変形例５）
上記変形例４では、係合部１３ｃの左右幅がガイド柱９ｅの径とほぼ同一であるため、ガイド柱９ｅは上記傾斜面１３ｈの左側突出部１３ｄ先端近くで接触した状態で係合部１３ｃに係合する。したがって、ガイド柱９ｅは必要以上に後側に押し付けられる虞がある。そこで、本変形例は、ガイド柱９ｅの上記傾斜面１３ｈとの接触位置を調整することでガイド柱９ｅを押し付ける力を調整するものである。図８（ｂ）は、本変形例に係る一対のアーム１３，１３の突出端を示す平面図である。尚、円弧部１３ａ以外の構成は上記実施形態のものと同一であり、同一箇所には同一符号を付し、その説明を省略する。また、図８（ｂ）において、ガイド柱９ｅの移動軌跡を仮想線で示している。
【００５２】
本変形例の右側のアーム１３は、その左右幅を上記変形例４よりもガイド柱９ｅの半径分だけ長くして傾斜面１３ｈの左右幅を広げ、また、左側突出部１３ｄの左端から先端に行くに従って後側に傾斜する突出部傾斜面（後側に傾斜する傾斜面）１３ｉが形成されている。そうすると、ガイド柱９ｅは、左側突出部１３ｄを乗り越えた後に傾斜面１３ｈを右側に相対移動することができるため、傾斜面１３ｈとの接触位置が上記変形例４よりも前方にシフトする。したがって、ガイド柱９ｅは上記変形例４よりも小さな力で後側の押し付けられる。また、突出部傾斜面１３ｉがガイド柱９ｅを後側に案内するため、ガイド柱９ｅは左側突出部１３ｄをスムーズに乗り越えることができる。
【００５３】
（変形例６）
上記変形例５では、係合部１３ｃの左側突出部１３ｄの形状を工夫してガイド柱９ｅが該左側突出部１３ｄを乗り越え易くしているが、この左側突出部１３ｄの形状をさらに工夫することで一層乗り越え易くなる。図８（ｃ）は、本変形例に係る一対のアーム１３，１３の突出端を示す平面図である。尚、突出部傾斜面１３ｉ以外の構成は上記変形例５のものと同一であり、同一箇所には同一符号を付し、その説明を省略する。
【００５４】
本変形例の突出部傾斜面１３ｉは、その左端が上記変形例４よりも前側に位置し、右側に行くに従って後側に傾斜している。そうして、ガイド柱９ｅが左側突出部１３ｄを乗り越えるときに、この突出部傾斜面１３ｉに沿って徐々に後側に案内され、左側突出部１３ｄ先端に到達する。したがって、ガイド柱９ｅが上記実施形態の場合よりも緩やかに左側突出部１３ｄを乗り越えることができるため、操作性が一層向上する。
【００５５】
尚、本発明は、上記実施形態について、以下のような構成としてもよい。
【００５６】
即ち、前ブレード７，７，…が上下方向に延びて左右方向に回動し、かつ後ブレード９，９，…が左右方向に延びて上下方向に回動してもよい。
【００５７】
また、一対のアーム１３，１３が後ブレード９と干渉しない位置関係にあれば、切欠部９ｃが設けられていなくてもよい。
【００５８】
また、円弧部１３ａが設けられている右側のアーム１３には、連結梁１３ｂが設けられいなくてもよい。
【００５９】
さらに、円弧部１３ａは、右側のアーム１３突出端から上方に延びていてもよく、又は、この突出端から上下両方向に延びていてもよい。
【産業上の利用可能性】
【００６０】
本発明は、操作ノブを操作することにより調和空気等の吹出方向を調節することができるレジスタにおいて、空気の吹出口を確実に閉じることができる点で有用である。
【符号の説明】
【００６１】
１      レジスタ
３      レジスタケース
３ａ    吹出口
７      前ブレード
９      後ブレード
９ｄ    張出部
９ｅ    ガイド柱
１１    操作ノブ（回動機構）
１３    アーム
１３ａ  円弧部
１３ｃ  係合部
１３ｄ  左側突出部（突出部）
１３ｈ  傾斜面（前側に傾斜する傾斜面）
１３ｉ  突出部傾斜面（後側に傾斜する傾斜面）
Ｘ１    左右方向軸（前ブレード回動軸）
Ｘ２    上下方向軸（後ブレード回動軸）
【図１】
2013248914.tif 000003
【図２】
2013248914.tif 000004
【図３】
2013248914.tif 000005
【図４】
2013248914.tif 000006
【図５】
2013248914.tif 000007
【図６】
2013248914.tif 000008
【図７】
2013248914.tif 000009
【図８】
2013248914.tif 000010